(57)【要約】【課題】電源が不要なセキュリティガラスを提供する。また、確実にガラスの破壊を検知することのできるガラス破壊検知装置を提供する。【解決手段】ガラス面の所定範囲に渡って設けたアンテナと、前記アンテナと接続する制御部を備え、外部から要求信号を受信すると、応答信号を返信するようにし、前記ガラス面の破壊により前記アンテナが切断されることにより前記要求信号の受信及び応答信号の送信を不能とする。【選択図】  図３
2004334445.tif 000002
【特許請求の範囲】
【請求項１】
ガラス面の所定範囲に渡って設けたアンテナと、前記アンテナと接続する制御部を備え、
外部から要求信号を受信すると、応答信号を返信するようにしたセキュリティガラスであって、
前記ガラス面の破壊により前記アンテナが切断されることにより前記要求信号の受信及び応答信号の送信を不能としたことを特徴とするセキュリティガラス。
【請求項２】
前記制御部は、前記アンテナにて受信した電波により起電されて動作することを特徴とした請求項１記載のセキュリティガラス。
【請求項３】
前記アンテナ及び制御部は、合わせガラスの中間層に配置されることを特徴とした請求項１又は２記載のセキュリティガラス。
【請求項４】
ガラス面の所定範囲に渡って設けたアンテナと、前記アンテナと接続し検出部からの要求信号を受信すると応答信号を返信する制御部を備えたセキュリティガラスと、
前記セキュリティガラスに要求信号を送信し、返信された応答信号を受信することにより、前記セキュリティガラスの破壊の有無を検知する検出部とを具備することを特徴とするガラス破壊検知装置。
【請求項５】
前記制御部は、前記アンテナにて受信した電波により起電されて動作することを特徴とした請求項４記載のガラス破壊検知装置。
【請求項６】
前記セキュリティガラスのアンテナ及び制御部は、合わせガラスの中間層に配置されることを特徴とした請求項４又は５記載のガラス破壊検知装置。
【発明の詳細な説明】
【０００１】
【発明の属する技術分野】
本発明は窓ガラスやショーウインドウ等のガラスにアンテナ等を設けたセキュリティガラスと該セキュリティガラスの破壊を検出するガラス破壊検知装置に関する。
【０００２】
【従来の技術】
従来、セキュリティガラスとして、例えば、ガラスの表面や２枚の合わせガラスの合わせ面に導電線を配置し、ガラスの破壊により導電線の切断を検知するようにしたもの（特許文献１）や、ガラス破壊検知装置として、ガラスが破壊したときに発生する特有の振動を検出するようにしたもの（特許文献２）が使用されている。
また、単板ガラス、合わせガラス、積層ガラスなどのガラスの表面あるいは合わせガラスの中間膜などにアンテナを設けて、ガラス破壊時にアンテナの利得が低下することを利用して検出、警報するもの（特許文献３）が提案されている。
【０００３】
【特許文献１】実開昭６３−１３５１７６
【特許文献２】特開昭５２−１１６２７４
【特許文献３】特開平３−４８３９２
【０００４】
【発明が解決しようとする課題】
しかし、これらの従来のセキュリティガラスやガラス破壊検知装置は、ガラスに取り付ける導電体や検出器及び送信機に、電源（商用電源や電池）が必要となる。従って、これらのセキュリティガラスやガラス破壊検知装置を窓ガラス等に取り付けたときには、窓の開閉動作に制限を及ぼしたり、また、外部から容易に検出器の有無や検知方式が判ってしまう可能性があった。
【０００５】
本発明は、上述の問題点に鑑み、電源が不要なセキュリティガラスの提供を目的とする。また、確実にガラスの破壊を検知することのできるガラス破壊検知装置の提供を目的とする。
【０００６】
【課題を解決するための手段】
前記目的を達成するために、本発明によるセキュリティガラスは、ガラス面の所定範囲に渡って設けたアンテナと、前記アンテナと接続する制御部を備え、外部から要求信号を受信すると、応答信号を返信するようにし、前記ガラス面の破壊により前記アンテナが切断されることにより前記要求信号の受信及び応答信号の送信を不能とした。
【０００７】
また、本発明によるセキュリティガラスは、制御部が前記アンテナにて受信した電波により起電されて動作する。これにより、セキュリティガラスに外部電源を設ける必要がないので、例えば窓ガラスに適用した場合でも、窓の開閉動作を制限することがない。
【０００８】
さらに、本発明によるセキュリティガラスは、アンテナ及び制御部は、合わせガラスの中間層に配置される。これにより、外気に触れることがないので、錆びや劣化を防止することができる。
【０００９】
また、前記目的を達成するために、本発明によるガラス破壊検知装置は、ガラス面の所定範囲に渡って設けたアンテナと、前記アンテナと接続し検出部からの要求信号を受信すると応答信号を返信する制御部を備えたセキュリティガラスと、前記セキュリティガラスに要求信号を送信し、返信された応答信号を受信することにより、前記セキュリティガラスの破壊の有無を検知する検出部とを具備する。これにより、ガラスの破壊を確実に検出すことが可能となる。
【００１０】
さらに、本発明によるガラス破壊検知装置は、制御部が前記アンテナにて受信した電波により起電されて動作する。これにより、セキュリティガラスに外部電源を設ける必要がないので、例えば窓ガラスに適用した場合でも、窓の開閉動作を制限することがない。
さらに、本発明によるガラス破壊検知装置は、セキュリティガラスのアンテナ及び制御部を合わせガラスの中間層に配置する。これにより、外気に触れることがないので、錆びや劣化を防止することができる。
【００１１】
【発明の実施の形態】
以下、図を参照して、本発明の実施の形態を詳細に説明する。
図１は、本発明のセキュリティガラス１及び検出装置２を部屋内に配置した状態を示す。尚、ガラス破壊検知装置はセキュリティガラス１と検出装置２から構成される。セキュリティガラス１は窓枠４に設けられ窓ガラスとして使用される。検出装置２は窓近傍の天井３に設置される。
【００１２】
セキュリティガラス１は図２に示すように、例えば、２枚の板ガラスの中間層に樹脂を配置したガラスセンサ部１０と、板ガラスの中間層に配置された導電部材からなるアンテナ１１と、ＩＣチップ１２から構成される。尚、美観上、アンテナ１１を透明な導電部材で構成してもよい。
【００１３】
図２に示す例では、１枚の窓ガラスに２組のアンテナ１１およびＩＣチップ１２を配置しているが、これに限らず、窓ガラスの大きさに応じて、適宜、１組もしくは複数のアンテナ１１およびＩＣチップ１２を配置することができる。複数のアンテナ１１及びＩＣチップ１２を配置した場合には、窓ガラスのどの部分が破壊されたかを検知することも可能となる。
【００１４】
本実施例では、合わせガラスの中間層にアンテナ１１およびＩＣチップ１２を配置しているが、これに限らず、ガラスの表面に配置するようにしてもよい。また、アンテナ１１のみをガラス面に配置しＩＣチップ１２を窓枠に配置するようにしてもよい。
【００１５】
図３は、セキュリティガラス１を構成するＩＣチップ１２の回路構成を示す。
ＩＣチップ１２では、バス１２１に、制御部１２２、メモリ１２３、通信Ｉ／Ｆ１２４が接続される。通信Ｉ／Ｆ１２４には、変調回路１２５、復調回路１２６を介してアンテナ１１が接続される。アンテナ１１にＡ／Ｄ変換器１２７が接続され、その直流出力側に平滑用コンデンサ１２８が接続される。ＩＣチップ１２は、アンテナ１１で受信した電波をＡ／Ｄ変換器１２７で直流電力に変換して電源を得て、電源が確立すると動作を開始する。
【００１６】
次に図４を参照して検出装置２の構成を説明する。
検出装置２は、天井３などの窓ガラスと同一平面以外の場所に設置される。検出装置２には、アンテナ２１がセキュリティガラス１のアンテナ１１と対向する位置に配置される。
また、検出装置２には制御回路２０が設けられる。制御回路２０では、バス２０１に、制御部２０２、メモリ２０３、通信Ｉ／Ｆ（インターフェース）２０４、入出力Ｉ／Ｆ２０５が接続される。通信Ｉ／Ｆ２０４には、変調回路２０６、復調回路２０７を介してアンテナ２１が接続される。入出力Ｉ／Ｆ２０５には、図示しない警報装置が接続される。また、商用電源から交流電力を受け、Ａ／Ｄ変換器２０８により直流電源を得る。
【００１７】
次に図５及び図６に示すフローチャートを用いて、検出装置２とセキュリティガラス１の動作について説明する。
図５は検出装置２の制御部２０２の動作を示し、図６はセキュリティガラス１のＩＣチップ１の制御部１２２の動作を示す。
【００１８】
最初に、図５を用いて検出装置２の動作を説明する。
検出装置２のメモリ２０３には予め検知対象となるセキュリティガラス１のＩＤコードが記憶されている。
検出装置２では、所定間隔にて常時、要求信号を変調回路２０６で変調して、アンテナ２１からセキュリティガラス１に向けて電波（電力供給付き要求信号）を放射する（ステップＳ１１）。セキュリティガラス１が、要求信号に対して、自分のＩＤと応答信号を送信するとそれを受信する（ステップＳ１２）。検出装置２は、セキュリティガラス１から応答信号を受信すると、そのＩＤと確認信号を返信する（ステップＳ１３）。
【００１９】
次に、検出装置２は、要求信号を送信してから所定時間以内に検知対象となる全てのセキュリティガラス１から応答信号を受信したか否かを判断する（ステップＳ１４）。
いずれかのセキュリティガラス１から応答信号を受信しない場合には、要求信号を送信してか所定時間経過したか否かを判定し、所定時間が経過したときには（ステップＳ１５のＹＥＳ）、いずれかのセキュリティガラス１が破損したものと判断して、図示しない警報装置にそのガラスＩＤと共に警報信号を送信する（ステップＳ１６）。
【００２０】
ステップＳ１５にて所定時間が経過していないと判定したときには、ステップＳ１２に戻り、他のセキュリティガラス１からの応答信号の受信を待つ。そして、ステップＳ１４で検知対象となる全てのセキュリティガラス１から応答信号を受信したと判断した場合は、処理を終了し、次の要求信号の送信まで待機する。
【００２１】
次に、図６を用いて、上記検出装置２の動作に対応するセキュリティガラス１の動作を説明する。
セキュリティガラス１のメモリ１２３には予め、セキュリティガラス１毎に割り当てられたガラスＩＤ及びセキュリティガラス１ごとに異ならせた所定の遅延時間を記憶させておく。これは、複数のセキュリティガラス１からの信号を１つ検出装置で検出する場合に、無線信号が輻輳することを防ぐためである。
【００２２】
アンテナ１１が、検出装置から所定間隔で送信される電波を受信し、Ａ／Ｄ変換器１２７により直流電源を得る。これによりセキュリティガラス１が動作を開始する（ステップＳ２１）。要求信号を受信する（ステップＳ２２）と、所定時間待ち合わせた後、自分のガラスＩＤと応答信号を送信する（ステップＳ２３）。
【００２３】
次に、検出装置２から、自分のガラスＩＤが含まれた確認信号を受信する（ステップＳ２４）。ここで、所定時間以内に確認信号が受信できない場合（ステップＳ２４のＮＯ）の場合には、ステップＳ２３に戻り、再度自分のガラスＩＤと応答信号を送信する（ステップＳ２３）。
【００２４】
【発明の効果】
本発明によれば、セキュリティガラスは外部電源が不要なので、窓の開閉動作を制限することがない。また、ガラス破壊検知装置は、確実にガラスの破壊を検知することができる。
【図面の簡単な説明】
【図１】セキュリティガラス及び検出装置を窓に配置した模式図である。
【図２】セキュリティガラスの構成図である。
【図３】ＩＣチップの回路構成を示す図である。
【図４】検出装置の回路構成を示す図である。
【図５】検出装置の制御部の動作を示すフローチャートである。
【図６】セキュリティガラスのＩＣチップの制御部の動作を示すフローチャートである。
【符号の説明】
１・・・セキュリティガラス
２・・・検出装置（検出部）
３・・・天井
４・・・窓枠
１０・・・ガラスセンサ部
１１・・・アンテナ
１２・・・ＩＣチップ
２０・・・制御回路
２１・・・アンテナ
【図１】
2004334445.tif 000003
【図２】
2004334445.tif 000004
【図３】
2004334445.tif 000005
【図４】
2004334445.tif 000006
【図５】
2004334445.tif 000007
【図６】
2004334445.tif 000008